(57)【要約】      （修正有）【課題】透湿性を有する支持体の片面に含水ゲル層が設けられた保冷材において、高い冷却効果が長い時間維持できると共に、その製造が容易に行えて、そのコストも低減できるようにする。【解決手段】透湿性を有する支持体１０の片面に含水ゲル層２０が設けられた保冷材Ａ２において、上記の支持体に上記の含水ゲル層が露出する貫通穴１１を設けた。【選択図】図４
0003135238.tif 000002
【実用新案登録請求の範囲】
【請求項１】
透湿性を有する支持体の片面に含水ゲル層が設けられた保冷材において、上記の支持体に上記の含水ゲル層が露出する貫通穴が設けられていることを特徴とする保冷材。
【請求項２】
請求項１に記載の保冷材において、上記の支持体に上記の含水ゲル層を収容させる収容凹部が設けられていることを特徴とする保冷材。
【請求項３】
請求項２に記載の保冷材において、上記の支持体に設けられた収容凹部の周囲に鍔部が形成されていることを特徴とする保冷材。
【請求項４】
請求項３に記載の保冷材において、上記の支持体に設けられた収容凹部の開口側における鍔部の面に粘着層が形成されていることを特徴とする保冷材。
【請求項５】
請求項１〜請求項４の何れか１項に記載の保冷材において、不透湿性のカバー部材により、少なくとも上記の含水ゲル層が露出する部分が被覆されていることを特徴とする保冷材。
【考案の詳細な説明】
【技術分野】
【０００１】
この考案は、身体に貼付させて貼付部位を冷却させるのに使用する保冷材に係り、特に、高い冷却効果が長い時間維持できると共に、その製造が容易に行えてコストも低減できるようにした点に特徴を有するものである。
【背景技術】
【０００２】
近年、発熱時や炎症部位等の冷却、また皮膚の保湿やリフレッシュ等を目的として保冷材が用いられている。
【０００３】
ここで、このような保冷材としては、一般に、不織布や織布等からなる透湿性を有する支持体の片面に、ポリアクリル酸等の水溶性高分子に水を保有させた含水ゲル層を形成したものが使用されている。
【０００４】
そして、このような保冷材を使用するにあたっては、上記の含水ゲル層を額等の人体の適切な貼付部位に貼付させるようにしている。
【０００５】
しかし、このような保冷材を人体に長く貼付し続けると、含水ゲル層における熱がうまく外部に放散されず、次第にこの含水ゲル層が暖かくなって保冷効果が低下し、長時間にわたって十分な保冷効果が得られないという問題があった。
【０００６】
また、上記のように含水ゲル層を額等の人体の適切な貼付部位に貼付させて、長時間にわたり十分な保冷効果が得られるようにするため、含水ゲル層における含水率を多くして冷却効果を高めるようにした場合、この含水ゲル層の粘着性が大きく低下して、貼付部位に対する保冷材の付着力が低下し、保冷材が貼付部位から簡単に外れるという問題があった。
【０００７】
このため、従来においては、特許文献１に示されるように、片面に粘着剤が塗布された不織布の繊維層中に、水分が９０重量％以上の水溶性高分子材料のゲルを含浸させた保冷材が提案されている。
【０００８】
しかし、上記の保冷材のように、上記のような水溶性高分子材料のゲルを不織布の繊維層中に含浸させる場合、繊維層中に含浸させることができるゲルの量には限界があり、依然として、高い冷却効果を長い時間維持させることは困難であった。
【０００９】
また、近年においては、特許文献２，３に示されるように、含水ゲル層に穴や溝等を設け、この穴や溝等を通して含水ゲル層における熱を外部に放散させるようにして、長時間にわたって十分な保冷効果が得られるようにすることが提案されている。
【００１０】
しかし、このように含水ゲル層に穴や溝等を設ける作業は面倒であり、特に、粘着性の高い含水ゲル層においては、この含水ゲル層に直接穴や溝等を加工することは非常に困難であった。
【００１１】
このため、従来においては、特許文献２に示されるように、含水ゲルを充填させる容器の収容凹部内に突起等を設け、この収容凹部内に含水ゲルを充填させて硬化させ、上記の突起等に対応した穴や溝等が形成された含水ゲル層を得るようにしていた。
【００１２】
しかし、この場合、含水ゲル層に形成する穴や溝等に対応する突起等を収容凹部内に設けた容器をそれぞれ準備することが必要になり、その製造コストが高くつくと共に、生産効率が悪くなるという問題があった。
【特許文献１】特開２００２−２４８１２１号公報
【特許文献２】特開２００４−５７４３０号公報
【特許文献３】特開２００６−１３０２１９号公報
【考案の開示】
【考案が解決しようとする課題】
【００１３】
この考案は、保冷材における上記のような問題を解決することを課題とするものであり、高い冷却効果が長い時間維持できると共に、その製造が容易に行えて、そのコストも低減できるようにすることを課題とするものである。
【課題を解決するための手段】
【００１４】
この考案における保冷材においては、上記のような課題を解決するため、透湿性を有する支持体の片面に含水ゲル層が設けられた保冷材において、上記の支持体に上記の含水ゲル層が露出する貫通穴を設けた。
【００１５】
ここで、上記の保冷材においては、上記の含水ゲル層による冷却効果が長い時間維持できるようにするため、上記の支持体に含水ゲル層を収容させる収容凹部を設け、この支持体の片面に設ける含水ゲル層の量を多くすることが好ましい。
【００１６】
また、上記のように支持体に含水ゲル層を収容させる収容凹部を設けた保冷材において、上記の含水ゲル層による冷却効果をさらに高めるために、含水ゲル層における含水率を多くした結果、この含水ゲル層の粘着性が低下した場合においても、この保冷材が貼付部位に適切に貼付されるようにするため、上記の収容凹部の周囲に鍔部を形成すると共に、収容凹部の開口側における鍔部の面に粘着層を設けるようにすることが好ましい。
【００１７】
また、上記の保冷材を貼付部位に貼付させる前に、支持体と反対側における含水ゲル層が露出する面や、支持体に設けられた上記の貫通穴の部分から含水ゲル層中における水分が勝手に蒸発するのを防止するため、少なくとも含水ゲル層が露出する部分を不透湿性のカバー部材によって被覆させることが好ましく、より好ましくは、この保冷材全体を不透湿性のカバー部材によって被覆させるようにする。
【考案の効果】
【００１８】
この考案における保冷材においては、上記のように透湿性を有する支持体の片面に含水ゲル層を設けるにあたり、上記の支持体に含水ゲル層が露出する貫通穴を設けたため、この貫通穴を通して含水ゲル層の水分が蒸発して、含水ゲル層における熱がうまく外部に放散されるようになり、長時間にわたって十分な保冷効果が得られるようになる。
【００１９】
また、この考案における保冷材においては、上記のように支持体に貫通穴を設けるだけであるため、含水ゲル層に穴や溝等を設ける場合に比べて、その作業が非常に簡単になり、支持体の片面に粘着性の高い含水ゲル層を設けるようにした場合においても、その製造が容易に行え、製造コストが低減されると共に生産効率も向上する。
【考案を実施するための最良の形態】
【００２０】
以下、この考案に係る保冷材の実施形態について具体的に説明する。なお、この考案に係る保冷材は、特に下記の実施形態に示したものに限定されるものではなく、その要旨を変更しない範囲において適宜変更して実施できるものである。
【００２１】
この考案における保冷材において、透湿性を有する支持体の片面に含水ゲル層を形成するにあたっては、この含水ゲル層に、保水性が高く、保形性にも優れた水溶性高分子を用いるようにし、このような水溶性高分子としては、天然及び合成の何れであってもよい。
【００２２】
ここで、含水ゲル層に用いる天然水溶性高分子としては、例えば、カラギーナン、ゼラチン、ペクチン、ローカストビーンガム、キサンタンガム、ジェランガム、アーネストガム、アガロース、デキストリン、グルコマンナン、ポリグルタミン酸及びその塩等を用いることができ、また合成水溶性高分子としては、例えば、ポリアクリル酸、ポリアクリル酸ナトリウム、カルボキシビニルポリマー、ポリビニルアルコール、ポリビニルピロリドン、カルボキシメチルセルロース、アーネストガム、メチルセルロース、ヒドロキシプロピルセルロース、ヒドロキシプロピルメチルセルロース等を用いることができるが、特にこれらに限定されるものでもない。なお、１種の水溶性高分子を用いるよりも、数種の水溶性高分子を混合して用いる方が、保水・粘着力等の点から好ましく、例えば、ポリアクリル酸とポリアクリル酸ナトリウムとから選択される少なくとも１種と、ポリビニルアルコールやカルボキシビニルポリマーとの混合物や、カラギーナンとローカストビーンガムとタマリンドガムとカルボキシビニルポリマーとを含む混合物等を用いることができる。
【００２３】
そして、上記の含水ゲル層において、高い冷却効果が長時間得られるようにするためには、その含水率を６５重量％以上にすることが好ましく、より好ましくは含水率が９０重量％以上のものを用いるようにする。なお、含水率が高くなると、一般に含水ゲル層の粘着力が低下するため、保冷材の形態に応じて、含水率を適切に調整することが好ましい。
【００２４】
また、このような含水ゲル層にアロマオイルや薬理活性物質を含有させ、これらの物質が身体の貼付部位に徐々に伝わって、保冷・保湿効果と共にこれらの物質による効果が得られるようにすることもできる。
【００２５】
ここで、上記のアロマオイルとしては、一般にアロマテラピーに用いられる精油成分（精油類）をそのまま用いることができる。この精油成分としては、例えばワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物を挙げることができるが、別段これらに限定されない。また、その他の油成分としては、流動パラフィン、シリコーンオイル、ココナッツオイル、マカデミアオイル、スクラワン、オリーブオイル、オレンジオイル、ホホバオイル等を挙げることができる。
【００２６】
また、薬理活性物質としては、上記のアロマオイルと重なってもよく、例えばメントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ類、水溶性アズレン、アクリノール等が挙げられる。
【００２７】
また、上記のもの以外に、ビタミンＡ，Ｂ，Ｃ，Ｅ等のビタミン類、セレニウム，亜鉛等のミネラル類、リンゴ，オレンジ，レモン，キウイ等の果実エキスや果汁等を適宜含有させることもできる。
【００２８】
また、上記の透湿性を有する支持体としては、上記の含水ゲル層が充分に保持されるものであればよく、例えば、各種の繊維を用いた不織布，織布等の繊維体や紙等の繊維構造物を用いることができる。
【００２９】
次に、この考案における保冷材において、上記の支持体に含水ゲル層が露出する貫通穴を設けた具体的な実施形態を添付図面に基づいて説明する。
【００３０】
（実施形態１）
実施形態１の保冷材Ａ１においては、図１（Ａ），（Ｂ）に示すように、平面形状が長方形状になった透湿性を有する支持体１０の片面に含水ゲル層２０を設けると共に、この支持体１０に円形状になった複数の貫通穴１１を設け、これらの貫通穴１１を通して上記の含水ゲル層２０が露出するようにしている。なお、この実施形態においては、平面形状が長方形状になった支持体１０を用いるようにしたが、この支持体１０の平面形状は特に限定されず、貼付部位等に対応させて様々な形状に形成することができ、またこの支持体１０に形成する貫通穴１１の数や大きさや形状も特に限定されない。
【００３１】
そして、この実施形態の保冷材Ａ１においては、上記の含水ゲル層２０によってこの保冷材Ａ１を適切な貼付部位に貼付させるようにする。この場合、上記の含水ゲル層２０によって保冷材Ａ１が貼付部位に十分に貼付されるようにするため、この含水ゲル層２０としては粘着性の高いものを用いるようする。
【００３２】
このようにして保冷材Ａ１を適切な貼付部位に貼付させると、前記のように支持体１０に設けられた各貫通穴１１を通して含水ゲル層２０の水分が蒸発し、含水ゲル層２０における熱がうまく外部に放散され、長時間にわたって十分な保冷効果が得られるようになる。
【００３３】
ここで、上記の保冷材Ａ１を製造するにあたっては、例えば、図２に示すように、貫通穴１１が設けられた長尺状の支持体１０の下面に不透湿性のシート材３１を配置させた状態で、この支持体１０の上面に含水ゲル材料を塗布して含水ゲル層２０を形成し、このように含水ゲル層２０が形成された長尺状の支持体１０を適当な大きさに切断して、貫通穴１１が形成された支持体１０が上記の不透湿性のシート材３１によって被覆された状態の保冷材Ａ１を製造する。
【００３４】
その後、図３に示すように、上記の保冷材Ａ１において、支持体１０と反対側において含水ゲル層２０が露出している部分を、不透湿性のシート材３２によって被覆させるようにする。
【００３５】
このようにすると、上記の保冷材Ａ１全体が不透湿性のシート材３１，３２によって被覆されるようになり、上記の含水ゲル層２０中における水分が勝手に蒸発するのが防止される。
【００３６】
なお、この実施形態においては、保冷材Ａ１全体を不透湿性のシート材３１，３２からなるカバー部材によって被覆させるようにしたが、カバー部材はこのようなものに限定されず、図示していないが、不透湿性の袋体からなるカバー部材内に上記の保冷材Ａ１を収容させて密封させるようにしたり、また不透湿性の容器からなるカバー部材内に上記の保冷材Ａ１を収容させて密封させるようにしたりすることも可能である。
【００３７】
（実施形態２）
実施形態２の保冷材Ａ２においては、図４（Ａ），（Ｂ）に示すように、平面形状が長方形状になった透湿性を有する支持体１０の中央部に、平面形状が長方形状になった収容凹部１２を設け、この収容凹部１２内に含水ゲル層２０を収容させるようにしている。そして、この収容凹部１２に円形状になった複数の貫通穴１１を設けると共に、この収容凹部１２の周囲に鍔部１３を形成し、上記の収容凹部１２の開口側における鍔部１３の面に粘着層１４を形成している。なお、この実施形態の保冷材Ａ２においても、上記の支持体１０の平面形状やその中央部に設ける収容凹部１２の平面形状は特に限定されず、貼付部位等に対応させて様々な形状に形成することができ、また上記の収容凹部１２に形成する貫通穴１１の数や大きさや形状も特に限定されない。
【００３８】
そして、この実施形態の保冷材Ａ２においては、上記の支持体１０の収容凹部１２の周囲における鍔部１３の面に設けられた粘着層１４によって、この保冷材Ａ２を適切な貼付部位に貼付させるようにする。
【００３９】
このようにして保冷材Ａ２を適切な貼付部位に貼付させると、上記の保冷材Ａ１の場合と同様に、上記の支持体１０に設けられた各貫通穴１１を通して含水ゲル層２０の水分が蒸発し、含水ゲル層２０における熱がうまく外部に放散され、長時間にわたって十分な保冷効果が得られるようになる。
【００４０】
また、この実施形態の保冷材Ａ２の場合、支持体１０の収容凹部１２の周囲における鍔部１３に設けられた粘着層１４によって保冷材Ａ２が貼付部位に十分に貼付されるようになるため、上記の含水ゲル層２０として粘着性の高いものを用いる必要はなく、この含水ゲル層２０における含水率を高くして、高い冷却効果がさらに長時間得られるようにすることができる。
【００４１】
ここで、上記の保冷材Ａ２を製造するにあたっては、例えば、図５（Ａ）に示すように、貫通穴１１が設けられた支持体１０の下面に不透湿性のシート材３１を配置させた状態で、このシート材３１と一緒に支持体１０を成形して、この支持体１０の中央部に収容凹部１２を形成すると共に、この収容凹部１２の周囲に鍔部１３を形成し、この鍔部１３の上面に粘着層１４を設けるようにする。
【００４２】
そして、図５（Ｂ）に示すように、支持体１０の中央部に設けられた収容凹部１２内に含水ゲル材料を充填させて含水ゲル層２０を形成し、図５（Ｃ）に示すように、この含水ゲル層２０の上面を覆うようにして、不透湿性のシート材３２を収容凹部１２の周囲における鍔部１３の上に配置させ、このシート材３２を鍔部１３の上面に設けられた上記の粘着層１４に剥離可能に貼付させるようにする。
【００４３】
このようにすると、上記の保冷材Ａ２が不透湿性のシート材３１，３２によって被覆されるようになり、上記の含水ゲル層２０における水分が勝手に蒸発するのが防止される。
【００４４】
また、この実施形態の保冷材Ａ２についても、上記の保冷材Ａ１の場合と同様に、不透湿性の袋体からなるカバー部材内に上記の保冷材Ａ２を収容させて密封させるようにしたり、また不透湿性の容器からなるカバー部材内に上記の保冷材Ａ２を収容させて密封させるようにしたりすることも可能である。
【図面の簡単な説明】
【００４５】
【図１】この考案の実施形態１に係る保冷材を示し、（Ａ）は支持体側から見た概略平面図、（Ｂ）は保冷材の断面説明図である。
【図２】上記の実施形態１に係る保冷材を製造するにあたり、長尺状の支持体の下面に不透湿性のシート材を配置させた状態で、この支持体の上面に含水ゲル層を形成する工程を示した断面説明図である。
【図３】上記の実施形態１に係る保冷材において、支持体の下面に不透湿性のシート材を配置させると共に、支持体と反対側において含水ゲル層が露出している部分を不透湿性のシート材によって被覆させた状態を示した断面説明図である。
【図４】この考案の実施形態２に係る保冷材を示し、（Ａ）は支持体側から見た概略平面図、（Ｂ）は保冷材の断面説明図である。
【図５】上記の実施形態２に係る保冷材を製造する工程を示し、（Ａ）は支持体の下面に不透湿性のシート材を配置させた状態で、この支持体の中央部に収容凹部を形成すると共にこの収容凹部の周囲における鍔部の上面に粘着層を設けた状態を示した断面説明図、（Ｂ）は上記の収容凹部内に含水ゲル層を形成した状態を示した断面説明図、（Ｃ）は上記の含水ゲル層の上面を覆うようにして不透湿性のシート材を収容凹部の周囲の鍔部に設けられた粘着層に剥離可能に貼付させた状態を示した断面説明図である。
【符号の説明】
【００４６】
Ａ１，Ａ２  保冷材
１０  支持体
１１  貫通穴
１２  収容凹部
１３  鍔部
１４  粘着層
２０  含水ゲル層
３１，３２  不透湿性のシート材（不透湿性のカバー部材）
【図１】
0003135238.tif 000003
【図２】
0003135238.tif 000004
【図３】
0003135238.tif 000005
【図４】
0003135238.tif 000006
【図５】
0003135238.tif 000007